(57)【特許請求の範囲】
【請求項１】
断熱箱体を構成する内箱内面に取り付けられた内箱側レールと、この内箱側レールの前部に取り付けられた内箱側ローラと、前記断熱箱体の開口を開閉自在に閉じる扉と、この扉後面に取り付けられ、後方に延在する扉側レールと、この扉側レールの後部に取り付けられた扉側ローラとを備え、この扉側ローラを前記内箱側レール内に滑動自在に支持させ、前記扉側レールを前記内箱側ローラ上に滑動自在に支持させることにより、前記扉を前記断熱箱体に対して引き出し自在と成すと共に、前記扉側レールには容器を支持させて成る冷蔵庫において、
前記扉側レールに形成され、前記容器を取り外す位置にて前記内箱側ローラに当接する上側に湾曲して突出したストッパを備え、前記内箱側レール上面には、前記ストッパが前記内箱側ローラに当接した状態で、前記扉側ローラが進入する凹所を、上側に張り出して形成したことを特徴とする冷蔵庫。
【発明の詳細な説明】
【０００１】
【発明の属する技術分野】
本発明は、引き出し自在の扉に容器を支持させて成る冷蔵庫に関するものである。
【０００２】
【従来の技術】
従来よりこの種家庭用冷蔵庫は、鋼板製の外箱と硬質樹脂製の内箱間に発泡ポリウレタンなどの発泡断熱材を現場発泡方式にて充填した断熱箱体から構成されており、この断熱箱体内を区画することによって、−２０℃などの凍結温度に冷却される冷凍室や、＋５℃などの冷蔵温度に維持される冷蔵室、そして、野菜などの乾燥を嫌う食品を保存するための野菜室などを形成している。
【０００３】
特に、近年では例えば特開平８−３３８６８１号公報（Ｆ２５Ｄ２３／００）に示される如く、頻繁に食品の納出が行われる冷蔵室や野菜室を上方に配置し、長期保存を目的とした冷凍室は庫内の最下部に配置した冷蔵庫が開発されている。この場合、冷蔵室は断熱箱体内の上部に、野菜室は下部の冷凍室と上部の冷蔵室の間に形成される。
【０００４】
そして、前記公報にも示される如く、野菜室の前面開口は引き出し式の扉によって開閉自在に閉塞している。この場合、内箱の左右内面には一対の内箱側レールが取り付けられ、各内箱側レールの前部には内箱側ローラが取り付けられている。一方、扉後面には後方に延在する左右一対の扉側レールが取り付けられ、各扉側レールの後部には扉側ローラが取り付けられている。
【０００５】
そして、この扉側ローラを内箱側レール内に滑動自在に支持させ、扉側レールを内箱側ローラ上に滑動自在に支持させることにより、扉を断熱箱体に対して引き出し自在と成すと共に、扉側レールには上面開口の容器を着脱自在に支持させて野菜室内に納出自在としていた。
【０００６】
【発明が解決しようとする課題】
ここで、扉側レールには扉を引き出した状態で引き抜きによる脱落を防止するためのストッパが形成されており、このストッパは所定の引き出し位置にて内箱側ローラに当接する。また、このストッパの後方の扉側レールには、容器を取り外せる位置にて内箱側ローラに当接するもう一つのストッパが形成され、このストッパが内箱側ローラに当接した状態にて扉側レールから容器を取り外し、清掃できるようにしていた。
【０００７】
この場合、後方のストッパが内箱側ローラに当接した状態では、扉自体や容器及び容器内の食品（野菜）などの重みによって、扉全体は内箱側ローラを中心として前部が下方に降下する方向に回動しようとする。そのため、扉側ローラは逆に上昇し、内箱側レールの上面に当接するが、従来ではこの内箱側レールの上面は平坦面であったため、扉側ローラの遊びによって不安定となり、扉の上下方向の所謂ガタツキが大きくなってしまう問題があった。
【０００８】
本発明は、係る従来の技術的課題を解決するために成されたものであり、引き出し式の扉を備えた冷蔵庫において、容器を取り外す位置まで引き出した状態で扉を安定的に支持できるようにするものである。
【０００９】
【課題を解決するための手段】
本発明の冷蔵庫は、断熱箱体を構成する内箱内面に取り付けられた内箱側レールと、この内箱側レールの前部に取り付けられた内箱側ローラと、断熱箱体の開口を開閉自在に閉じる扉と、この扉後面に取り付けられ、後方に延在する扉側レールと、この扉側レールの後部に取り付けられた扉側ローラとを備えており、この扉側ローラを内箱側レール内に滑動自在に支持させ、扉側レールを内箱側ローラ上に滑動自在に支持させることにより、扉を断熱箱体に対して引き出し自在と成すと共に、扉側レールには容器を支持させて成るものであって、扉側レールに形成され、容器を取り外す位置にて内箱側ローラに当接する上側に湾曲して突出したストッパを備え、内箱側レール上面には、ストッパが内箱側ローラに当接した状態で、扉側ローラが進入する凹所を、上側に張り出して形成したものである。
【００１０】
本発明によれば、扉側レールに形成され、容器を取り外す位置にて内箱側ローラに当接する上側に湾曲して突出したストッパが、内箱側ローラに当接した状態で扉側ローラが進入する凹所を、内箱側レール上面に上側に張り出して形成したので、容器を取り外す位置まで扉を引き出した状態で、扉側ローラは内箱側レール上面の凹所に入り込む。従って、扉側ローラはこの凹所内に安定的に保持されることになり、この状態で扉は内箱側レール及びローラに安定的に支持されるようになる。
【００１１】
特に、扉側ローラが凹所内に進入することにより、その状態における扉全体の前下への傾斜が大きくなるので、容器の着脱が極めて容易となる。更に、内箱側ローラが当接するストッパは上側に湾曲して突出しており、ストッパと扉側ローラの間隔を縮小しても扉が安定的に支持されるので、扉の引き出し量を大きくとり、且つ、断熱箱体内奥部の無効容積の縮小を図ることも可能となるものである。
【００１２】
【発明の実施の形態】
次に、図面に基づき本発明の実施形態を詳述する。図１は本発明を適用した実施例としての冷蔵庫１の各扉を除く正面図、図２は同じく扉を除く冷蔵庫１の一部切欠正面図、図３は冷蔵庫１の縦断側面図、図４は冷蔵庫１のもう一つの縦断側面図である。
【００１３】
本発明の冷蔵庫１は、前方に開口する鋼板製の外箱２と、硬質樹脂製の内箱３間に発泡ポリウレタン断熱材４を現場発泡方式により充填して成る断熱箱体６により構成されており、この断熱箱体６の庫内は、略中央部に設けられた区画部材７によって上下に区画され、この区画部材７の上方を冷蔵温度（＋５℃程）に維持される冷蔵室８としている。
【００１４】
区画部材７の下方は更に断面略Ｌ字状の断熱仕切壁９にて上下に区画され、この断熱仕切壁９と区画部材７の間を野菜などの乾燥を嫌う食品を収納するための野菜室１１とし、断熱仕切壁９の下方を凍結温度（−２０℃程）に冷却される冷凍室１２としている。
【００１５】
前記冷蔵室８内には上下複数段の棚１３・・が架設されており、その下部には上面に開口する氷温容器１６が前後方向に納出自在に配置されている。この氷温容器１６の上側は棚板１７にて閉塞され、前面は氷温容器１６の引き出し動作で開閉する蓋１８にて閉じられており、これによって、氷温容器１６内に氷温（０℃〜−３℃）に維持される氷温室１９を構成する。また、冷蔵室８の前面開口は回動式の扉２１にて開閉自在に閉塞されている。
【００１６】
更に、冷蔵室８の背部には上部がＹ字状に分岐した冷蔵室ダクト２４が上下に渡って形成されており、その左右には冷蔵室ダクト２４の上端部と冷蔵室８内に連通した冷蔵室冷気吐出口２６が上下に複数形成されている。また、前記氷温容器１６内の氷温室１９の背方にも冷蔵室ダクト２４に連通した氷温室冷気吐出口２５、２５が形成されると共に、その奥部には冷蔵室冷気戻り口２７が形成されている。即ち、氷温室１９内を循環した冷気と冷蔵室８内を循環した冷気の一部はこの冷蔵室冷気戻り口２７に流入する。
【００１７】
一方、前記区画部材７は、後部の仕切板２８とその前側の仕切前断熱部材２９とから構成されている。仕切板２８の前部には、冷蔵室冷気戻り口３１が形成されており、氷温容器１６の前部下側に位置している。この氷温容器１６は仕切板２８と仕切前断熱部材２９上に間隔を存して架設されており、これによって、扉２１の内側を降下して来た冷蔵室８内の冷気は、氷温容器１６の前側から冷蔵室冷気戻り口３１に流入可能としている。
【００１８】
他方、仕切前断熱部材２９の下面は後端部から前方に低く傾斜している。また、この仕切前断熱部材２９の下面前部には上蓋３２が前方から差し込まれて固定されている。この上蓋３２は仕切前断熱部材２９及び仕切板２８の下側に位置し、その固定部分を除いて仕切前断熱部材２９及び仕切板２８との間に所定の間隔Ｇを形成する。そして、この間隔Ｇは少なくとも上蓋３２の前端部で野菜室１１内に開放している。
【００１９】
この間隔Ｇの後端は連通孔３３にてその後方のダクト空間３４に連通しており、ダクト空間３４の上部は前記冷蔵室冷気戻り口２７に連通している。また、前記冷蔵室ダクト２４からはバイパスダクト３６が分岐して形成されており、このバイパスダクト３６はダクト空間３４の上部に連通している。
【００２０】
そして、前記野菜室１１の右上奥部には野菜室冷気戻り口３７が形成されており、この野菜室１１の前面開口は引き出し式の扉３８により開閉自在に閉塞される。この場合、扉３８の後面左右には図７乃至図１０に示す如く一対の扉側レール４１、４１が後方に延在して取り付けられており、内箱３の左右内面には一対の内箱側レール４２、４２が取り付けられている。
【００２１】
このとき、内箱側レール４２、４２の前端部内面にはそれぞれ内箱側ローラ７４が取り付けられている。また、この内箱側ローラ７４後方の内箱側レール４２の上面４２Ａには、湾曲形状を呈して上側に突出する凹所７６が形成されている。一方、扉側レール４１、４１の後部間はレール後部材７７にて連結され、更に各扉側レール４１、４１の後端部外面には扉側ローラ７８が取り付けられている。
【００２２】
更に、この扉側レール４１の上面後部には略三角形状で下方に窪んだ第１のストッパ７９が形成されており、更に、その後方の上面には上側に湾曲して突出する第２のストッパ８１が形成されている。係る扉側レール４１、４１及びレール後部材７７上には扉３８の裏側に位置して上面に開口した野菜容器４３が取り付けられる。
【００２３】
そして、係る扉側レール４１、４１後端の扉側ローラ７８、７８を、内箱側レール４２、４２内にそれぞれ前方から差し込み、内箱側レール４２、４２内にそれぞれ滑動自在に支持させると共に、扉側レール４１、４１の上面を内箱側ローラ７４、７４上に滑動自在に支持させることにより、扉３８及び野菜容器４３を野菜室１１内に納出自在とする。
【００２４】
この扉３８が閉じられた状態では野菜容器４３の上縁周囲は、上蓋３２に密着し、それによって、上面開口は閉塞される。他方、扉３８が引き出されて開放されると、やがて第１のストッパ７９が図８に二点鎖線で示す如く内箱側ローラ７４に当接する。この状態では図７の如く野菜容器４３の上面開口の殆どが開放されるので、野菜の納出は容易に行えると共に、第１のストッパ７９が内箱側ローラ７４に当接することによって、扉３８の引き抜きによる脱落は防止される。
【００２５】
次ぎに、野菜容器４３を清掃するなどのために扉側レール４１、４１から取り外す場合には、図７の状態から更に引き出すと、内箱側ローラ７４を第１のストッパ７９が乗り越え、やがて第２のストッパ８１が内箱側ローラ７４に当接する。
【００２６】
この状態、扉３８及び扉側レール４１の前部にはそれら自体及び野菜容器４３及び内部の野菜の重みが加わるために、図８中矢印で示す如く扉３８の前部が降下する方向に内箱側ローラ７４を中心として回動しようとする。これにより、扉側レール４１後端の扉側ローラ７８は逆に上昇するため、この状態で扉側ローラ７８は内箱側レール４２上面４２Ａの凹所７６内に図１０の如く入り込み、結果的に扉３８、扉側レール４１、４１及び野菜容器４３は図９の如く前部が下に傾斜した状態となる。
【００２７】
このように、本発明では野菜容器４３を取り外す位置まで扉３８を引き出した状態で、扉側ローラ７８は内箱側レール４２上面４２Ａの凹所７６内に入り込む。従って、扉側ローラ７８はこの凹所７６内に安定的に保持されることになり、この状態で扉３８は内箱側レール４２及び内箱側ローラ７４に安定的に支持されるようになる。
【００２８】
特に、扉側ローラ７８が凹所７６内に進入することにより、その状態における扉３８全体の前下への傾斜が大きくなるので、野菜容器４３の着脱が極めて容易となる。更に、第２のストッパ８１と扉側ローラ７８の間隔Ｐ（図１０）を縮小しても扉３８が安定的に支持されるので、扉３８の引き出し量を大きくとり、且つ、野菜室１１内奥部の無効容積の縮小をも図ることができる。
【００２９】
一方、前記冷凍室１２の背部には仕切板４４により冷却室４６が画成されており、この冷却室４６は冷凍室１２の背方から野菜室１１後面の断熱仕切壁９の背方まで渡っている。そして、この冷却室３６内には冷却装置を構成する冷却器４７が縦設されると共に、この冷却器４７の上方の冷却室４６内には、野菜室１１背方の断熱仕切壁９背方に位置して送風機４８が設置されている。尚、図５は仕切板４４を装着した状態の冷凍室１２の正面図である。図６は仕切板４４を取り去った冷却室４６の正面図で、図６中４９は冷却器４７の除霜ヒータである。
【００３０】
この冷凍室１２の前面開口は内箱６の図示しないレールに対して引き出し自在とされた上下二段の引き出し式扉５１、５２により開閉自在に閉塞される。これら扉５１、５２の裏面にはそれぞれ上面に開口した容器５３、５４が取り付けられると共に、各容器５３、５４が冷凍室１２内の上下に配置されて、冷凍食品やアイスクリームなどを収納するかたちとなる。
【００３１】
前記仕切板４４と冷却器４７及び送風機４８間には冷気分配用ダクト５６が形成されており、仕切板４４にはこのダクト５６と冷凍室１２とに連通する冷凍室冷気吐出口５７、５８が各容器５３、５４の上奥部に対応して開口している。また、断熱仕切壁９の下面にはダクト５６に連通した冷凍室用冷気ダクト６４が形成されている。冷凍室１２内上部には自動製氷機６１が取り付けられており、自動製氷機６１には冷凍室冷気吐出口５７から冷気が供給される。尚、６２はこの自動製氷機６１への給水管である。また、容器５４の背方には冷却室４６の下部に連通した冷凍室冷気戻り口６３が形成されている。
【００３２】
ダクト５６の上部には送風機４８の側方に位置して冷気分配口６６が形成され、この冷気分配口６６から上昇する連通ダクト６７は、野菜室１１の背方において冷蔵室ダクト２４の下端に連通している。この連通ダクト６７内には、前記各吐出口２６、２５やバイパスダクト３６の手前に位置して、モータ駆動のダンパー６８が取り付けられており、野菜室１１の背方に位置している。
【００３３】
また、冷却器４７の右側方には冷蔵室・野菜室冷気戻りダクト７１が形成されており、その上端は前記野菜室冷気戻り口３７に連通し、その下端は冷却室４６の下部に開口した冷蔵室・野菜室冷気戻り口７２にて冷却室４６内に連通している。
【００３４】
この場合、冷却器４７下側の冷却室４６には右方に突出した凹部４６Ａ（図６参照）が連続して形成されており、前記冷蔵室・野菜室冷気戻り口７２は、この凹部４６Ａの上面において、下前方に指向した状態で開放している（図３参照）。
【００３５】
一方、断熱箱体６の底壁は後部が階段状に立ち上がる形状とされており、この底壁の後部外側には機械室７３が形成されている。この機械室７３内には冷却装置を構成する図示しない圧縮機や蒸発皿コンデンサなどが設置される。
【００３６】
係る構成で動作及び冷気循環を説明する。前記圧縮機と送風機４８が運転されると、冷却器４７が冷却作用を発揮する。この冷却器４７にて冷却された極めて低温（−２５℃〜−３０℃）の冷気は上方の送風機４８の運転により吸引され、前方の分配ダクト５６に吹き出される。分配ダクト５６に吹き出された冷気は冷凍室冷気吐出口５７、５８及び冷凍室用ダクト６４から冷凍室１２内の各容器５３、５４及び自動製氷機６１内に吐出され、−２０℃程の凍結温度に冷却すると共に、製氷を行う。そして、冷凍室１２内の冷気は冷凍室冷気戻り口６３から冷却器４７の吸い込み側の冷却室４６内に帰還する（各図に矢印で示す）。
【００３７】
分配ダクト５６に吹き出された冷気はまた、冷気分配口６６から連通ダクト６７及びダンパー６８を経て冷蔵室ダクト２４に流入し、そこを上昇した後、各冷蔵室冷気吐出口２６・・及び氷温室冷気吐出口２５より冷蔵室８及び氷温室１９内に吐出される（図中矢印参照）。ダンパー６８は冷蔵室８内の温度に基づき制御されて連通ダクト６７を開閉し、それによって、冷蔵室８内を＋５℃程の冷蔵温度に、氷温室１９内は０℃〜−３℃程の氷温に維持される。
【００３８】
尚、このダンパー６８を経た冷気（冷却器４７と熱交換した直後の低温の冷気）の一部は前記バイパスダクト３６に流入し、直接ダクト空間３４の上部に流入する。
【００３９】
他方、冷蔵室８内を循環して扉２１の内側を流下して来た冷気は、氷温容器１６の前部下側の冷蔵室冷気戻り口３１から上蓋３２と区画部材７間の間隔Ｇ内に流入する。そして、前方に移動しながら仕切前断熱部材２９下面の傾斜に沿って下方の野菜容器４３周囲の野菜室１１内の空間に流下する。
【００４０】
また、氷温室１９内を循環した冷気と、冷蔵室８内を循環した冷気の残りは後部の冷蔵室冷気戻り口２７からダクト空間３４内上部に流入し、そこで、バイパスダクト３６を経て来た低温の冷気と混合される。その後、連通孔３３から間隔Ｇの後部に流入し、前述同様に前方に移動し、途中冷蔵室冷気戻り口３１からの冷気と混じり合いながら仕切前断熱部材２９下面の傾斜に沿って下方の野菜容器４３周囲の野菜室１１内の空間に流下する。
【００４１】
これによって、野菜容器４３内を周囲から保冷する。そして、野菜室１１内を循環した冷気は野菜室冷気戻り口３７より冷蔵室・野菜室冷気戻りダクト７１に流入し、そこを流下して冷蔵室・野菜室冷気戻り口７２より冷却器４７の吸い込み側の冷却室４６内に帰還する（各図中矢印参照）。
【００４２】
このとき、冷蔵室・野菜室冷気戻り口７２は、冷却器４７下側の冷却室４６に連続して右方に突出形成された凹部４６Ａの上面において、下前方に指向した状態で開放されているので、冷却器５６との間に充分な距離が確保されている。従って、比較的温度の高い湿った冷気が冷蔵室・野菜室冷気戻り口７２から冷却室４６内に吹き出されても、戻り口７２周囲に着霜が生じ難くなる。
【００４３】
また、冷却器５６の局部的な着霜も生じ難くなるので、霜閉塞による冷却効果の悪化も抑制される。そして、除霜ヒータ４９による冷却器４７の除霜時にも露水が戻り口７２に付着することが無くなると共に、戻り口７２は冷却室４６（凹部４６Ａを含む）底面から離間しているので、除霜時に冷却器４７から滴下した除霜水が戻り口７２に流入する危険性も無い。これにより、冷蔵室・野菜室冷気戻り口７２周囲の水シールが不要となり、構造が簡素化される。
【００４４】
特に、以上のようにダンパー６８を経た冷気の一部を、冷蔵室８や氷温室１９内を経ること無く直接野菜室１１に供給するバイパスダクト３６を設けたので、このバイパスダクト３６から野菜室１１に冷蔵室８などを経ていない新鮮な（低温）冷気を供給することができるようになる。
【００４５】
これにより、野菜室１１には冷蔵室８からの戻り冷気に加えて低温の冷気が供給されるようになるので、冷蔵室８側の負荷の状況に拘わらず、野菜室１１を安定的に冷却することができるようになる。
【００４６】
また、区画部材７を、仕切板２８とこの仕切板２８の前側に設けられた仕切前断熱部材２９とから構成し、仕切板２８には氷温容器１６の前部下側に位置して冷蔵室冷気戻り口３１を形成すると共に、仕切前断熱部材２９の下面を前方に低く傾斜させたので、冷蔵室８からの戻り冷気は氷温容器１６の前部下側から区画部材７と上蓋３２間の間隔Ｇに流入し、前方に移動しながら仕切前断熱部材２９下面の傾斜に沿って下方の野菜容器４３周囲に流下するようになる。
【００４７】
そして、野菜容器４３周囲を循環した冷気は野菜室１１の上奥部の野菜室冷気戻り口３７に流入するので、これらによって、野菜容器４３周囲を冷気が満遍なく円滑に循環できるようになり、野菜容器４３内を斑無く良好に冷却することが可能となる。特に、冷蔵室冷気戻り口３１は氷温容器１６の下側にあるので、見え難く、扉２１を開けた状態の外観にも支障を生じない。
【００４８】
更に、氷温容器１６後側に形成されたもう一つの冷蔵室冷気戻り口２７から出た冷気がバイパスダクト３６を経た冷気と混じり合い、区画部材７と上蓋３２間の間隔Ｇ後部に流入するようにしたので、バイパスダクト３６からの冷気が直接当たる区画部材７の仕切板２８或いは上蓋３２部分の野菜室１１が過冷却されることを防止することができる。これにより、野菜室１１の冷却効果を維持しつつ、仕切板２８や上蓋３２に断熱材を貼る必要性や、野菜室１１内の温度斑の発生を一層効果的に解消することができるようになる。
【００４９】
尚、上記実施例では野菜室１１の扉３８について本発明を適用したが、それに限らず、冷凍室１２などの扉５１、５２に本発明を適用しても良い。
【００５０】
【発明の効果】
以上詳述した如く本発明によれば、扉側レールに形成され、容器を取り外す位置にて内箱側ローラに当接する上側に湾曲して突出したストッパが、内箱側ローラに当接した状態で扉側ローラが進入する凹所を、内箱側レール上面に上側に張り出して形成したので、容器を取り外す位置まで扉を引き出した状態で、扉側ローラは内箱側レール上面の凹所に入り込む。従って、扉側ローラはこの凹所内に安定的に保持されることになり、この状態で扉は内箱側レール及びローラに安定的に支持されるようになる。
【００５１】
特に、扉側ローラが凹所内に進入することにより、その状態における扉全体の前下への傾斜が大きくなるので、容器の着脱が極めて容易となる。更に、内箱側ローラが当接するストッパは上側に湾曲して突出しており、ストッパと扉側ローラの間隔を縮小しても扉が安定的に支持されるので、扉の引き出し量を大きくとり、且つ、断熱箱体内奥部の無効容積の縮小を図ることも可能となるものである。
【図面の簡単な説明】
【図１】本発明を適用した実施例としての冷蔵庫の各扉を除く正面図である。
【図２】同じく扉を除く本発明の冷蔵庫の一部切欠正面図である。
【図３】本発明の冷蔵庫の縦断側面図である。
【図４】本発明の冷蔵庫のもう一つの縦断側面図である。
【図５】本発明の冷蔵庫の冷凍室部分の正面図である。
【図６】本発明の冷蔵庫の冷却室部分の正面図である。
【図７】扉を引き出した状態の野菜室部分の本発明の冷蔵庫の縦断側面図である。
【図８】図７の状態の扉側レール後部の拡大側面図である。
【図９】野菜容器を取り外す位置まで扉を引き出した状態の野菜室部分の本発明の冷蔵庫の縦断側面図である。
【図１０】図９の状態の扉側レール後部の拡大側面図である。
【符号の説明】
１  冷蔵庫
２  外箱
３  内箱
４  ポリウレタン断熱材
７  区画部材
８  冷蔵室
９  断熱仕切壁
１１  野菜室
１２  冷凍室
１６  氷温容器
２４  冷蔵室ダクト
２７、３１  冷蔵室冷気戻り口
２８  仕切板
２９  仕切前断熱部材
３２  上蓋
３４  ダクト空間
３６  バイパスダクト
３７  野菜室冷気戻り口
３８  扉
４１  扉側レール
４２  内箱側レール
４３  野菜容器
４６  冷却室
４７  冷却器
４８  送風機
７４  内箱側ローラ
７６  凹所
７８  扉側ローラ
７９  第１のストッパ
８１  第２のストッパ
【図１】
0003573909.tif 000002
【図２】
0003573909.tif 000003
【図３】
0003573909.tif 000004
【図４】
0003573909.tif 000005
【図５】
0003573909.tif 000006
【図６】
0003573909.tif 000007
【図７】
0003573909.tif 000008
【図８】
0003573909.tif 000009
【図９】
0003573909.tif 000010
【図１０】
0003573909.tif 000011